(57)【要約】【課題】着用が容易であると共に、着用感に優れつつ、毛髪等の落下を防止した衛生帽子を提供する。【解決手段】着用者の頭部を覆う袋状の帽体部４と、帽体部の開口縁４ｅに取り付けられる環状で伸縮性の帯部２と、を備えた衛生帽子１００であって、帽体部の内側には、帽体部の前後に延びて上方に向かって湾曲しつつ突出し、帽体部を頭部と離間した形状に展張する骨部６が取り付けられている。【選択図】図５
0003194440.tif 000002
【実用新案登録請求の範囲】
【請求項１】
着用者の頭部を覆う袋状の帽体部と、
該帽体部の開口縁に取り付けられる環状で伸縮性の帯部と、を備えた衛生帽子であって、
前記帽体部の内側には、前記帽体部の前後に延びて上方に向かって湾曲しつつ突出し、前記帽体部を前記頭部と離間した形状に展張する骨部が取り付けられている衛生帽子。
【請求項２】
前記骨部が横方向に離間しつつ複数個設けられている請求項１記載の衛生帽子。
【考案の詳細な説明】
【技術分野】
【０００１】
本考案は、クリーンルーム内や食品工場等での作業時に着用する衛生帽子に関する。
【背景技術】
【０００２】
クリーンルーム内や食品工場等での作業時には、作業者は衛生帽子（ヘアネット、作業帽）を着用し、毛髪やフケの落下を防止している。例えば、特許文献１には、キャップ状の本体部から耳を経て顎を覆うように垂下するフラップ部を設け、毛髪等の落下をさらに防止する技術が記載されている。
【先行技術文献】
【特許文献】
【０００３】
【特許文献１】特開2002-212824号公報
【考案の概要】
【考案が解決しようとする課題】
【０００４】
ところで、衛生帽子は、頭部に密着させることで毛髪等の落下を防止するが、衛生帽子を深く被ると、空間が少ないので暑く窮屈となり、さらに女性にとっては髪形が潰れるため着用感が好まれない。一方、特許文献１記載の技術のように、キャップから更にフラップ部が垂下したものは、着用が面倒であったり、暑さの軽減の点で問題があり、頭部から肩部まですっぽり覆う本格的な作業用フードと着用の煩わしさが変わらないことになる。
【０００５】
本考案は、かかる現状に鑑みてなされたものであって、着用が容易であると共に、着用感に優れつつ、毛髪等の落下を防止した衛生帽子を提供することを目的とする。
【課題を解決するための手段】
【０００６】
本考案の衛生帽子は、着用者の頭部を覆う袋状の帽体部と、該帽体部の開口縁に取り付けられる環状で伸縮性の帯部と、を備えた衛生帽子であって、前記帽体部の内側には、前記帽体部の前後に延びて上方に向かって湾曲しつつ突出し、前記帽体部を前記頭部と離間した形状に展張する骨部が取り付けられている。
前記骨部が横方向に離間しつつ複数個設けられていてもよい。
【考案の効果】
【０００７】
この発明によれば、着用が容易であると共に、着用感に優れつつ、毛髪等の落下を防止した衛生帽子を得ることができる。
【図面の簡単な説明】
【０００８】
【図１】本考案の実施形態に係る衛生帽子の正面図である。
【図２】本考案の実施形態に係る衛生帽子の左側面図である。
【図３】本考案の実施形態に係る衛生帽子の平面図である。
【図４】本考案の実施形態に係る衛生帽子の底面図である。
【図５】本考案の実施形態に係る衛生帽子の正面側斜視図である。
【図６】本考案の実施形態に係る衛生帽子の内面を示す図である。
【図７】本考案の実施形態に係る衛生帽子の背面側斜視図である。
【図８】本考案の実施形態に係る衛生帽子を折り畳んだ状態を示す図である。
【図９】横方向に延びる骨部が取り付けられた衛生帽子を着用した状態を示す側面図である。
【図１０】横方向に延びる骨部が取り付けられた衛生帽子を着用した状態を示す背面側斜視図である。
【考案を実施するための形態】
【０００９】
本考案の実施形態に係る衛生帽子について、各図１に基づいて詳細に説明する。
図１〜図５に示すように、本考案の実施形態に係る衛生帽子１００は、クリーンルーム内や食品工場等での作業時に着用し、頭部を覆う衛生帽子である。衛生帽子１００は、頭部を覆う袋状の帽体部４と、帽体部４の開口縁４ｅに取り付けられる環状で伸縮性の帯部２とを備えている。帽体部４の生地は織物又は編物とし、帯部２は帯状ニット素材として頭の動きに追随して帯状ニット素材が伸縮して頭部と密着するので、頭部からの毛髪やフケの落下を防止する。帽体部４の内側には、帽体部４の前後に延びて上方に向かって湾曲しつつ突出し、帽体部を頭部と離間した形状に展張する骨部６が着脱可能に取り付けられ、骨部６によって着用時に空間ができるので、密着を防ぎ髪形が潰れる等の違和感を軽減する。
なお、衛生帽子の背面図は図１の正面図と同一に表され、右側面図は図２の左側面図と左右対称に表される。
【００１０】
帽体部４は、通気透湿性のシート素材（例えばニット素材）からなる布を立体的に縫製して形成することができる。帯部２は、例えばニット素材とゴム紐等の伸縮性素材を組み合わせて形成することができ、帽体部４の開口縁４ｅに接合（縫合）される。
又、図６に示すように、帽体部４の内側には、長片状の骨部６を収納し、帽体部４の前後に延びるポケット４ｂが縫合され、ポケット４ｂの後側（着用時の首筋側）が縫い付けられずに切れ目４ｂｅとなっていて骨部６を着脱可能としている。骨部６は例えばプラスチックや金属板から形成することができる。骨部６が弾性体であると、衛生帽子１００の着用時に、衛生帽子１００が工場の出っ張り等にぶつかったときに骨部６が撓んで力を吸収するので好ましい。
図７に示すように、ポケット４ｂは横方向に離間して２個設けられ、骨部６も横方向に離間して２個並んでいる。さらに、図８に示すように、骨部６は前後（着用者の前から後へ向かう方向）に延び、上方に向かって円弧状に湾曲しつつ突出している。
【００１１】
そして、衛生帽子１００を被ると、頭部を帽体部４が覆うと共に、額から耳の前方を通って首筋までの全周に帯部２が密着し、帽体部４の内部に毛髪やフケを閉じ込めてこれらの落下を防止する。
又、帽体部４の内部で骨部６が上方に向かって突出し、帽体部４を頭部と離間した形状に展張するので、帽体部４に毛髪が直接接することが防止され、着用時に髪形が潰れる等の違和感を軽減して着用感を向上させる。
【００１２】
さらに、本考案においては、骨部６が前後に延びて上方に向かって湾曲しつつ突出している。これにより、前方から後方にかけて帽体部４と頭部の間に空間が生じるが、頭部は前後に長い楕円形なので、帽体部４と頭部の間に最小限の空間を設けることができ、帽体部４が過度に展張されずに邪魔とならない。又、後方に空間が生じるので、ポニーテール等の髪型であっても帽体部４内に収納し易くなる。
【００１３】
これに対し、図９、図１０に示すように、横方向（両耳を結ぶ方向）に延びて上方に向かって湾曲しつつ突出する骨部６０が取り付けられた衛生帽子１０００を着用した場合、前方と後方に帽体部４０と頭部の間に空間が少なく、窮屈感を感じ易い額に帽体部４０が密着して着用感を損なう。又、骨部６０によって帽体部４０が左右に張り出すので、着用者が作業等で移動すると衛生帽子１０００が揺れて脱落するおそれがあると共に着用に違和感がある。又、後方に空間が少ないので、ポニーテール等の髪型が帽体部４０内に収納し難い。
【００１４】
なお、本実施形態では、骨部６が横方向に離間しつつ２個（複数個）設けられている。これにより、隣接する骨部６の間でも帽体部４を頭部と離間して展張するので、帽体部４に毛髪が直接接することが確実に防止される。又、図８に示すように、各骨部６が同じ方向（前後）に並んでいるので、衛生帽子１００を各骨部６が重なるようにしてコンパクトに折り畳むことができ、衛生帽子１００の出荷時や保管時に省スペース化を図ることができる。
【００１５】
本考案の衛生帽子は、本考案の要旨を逸脱しない限りにおいて、適宜にその構造、構成を設計変更して具体化できる。例えば、帽体部４、帯部２及び骨部６の形状は上記実施形態に限られず、骨部６（及びこれを収納するポケット４ｂ）の個数も限定されない。又、骨部６が帽体部４の内側に着脱不能に取り付けられていてもよい。
【符号の説明】
【００１６】
２      帯部
４      帽体部
４ｅ      帽体部の開口縁
６      骨部
１００  衛生帽子
【図１】
0003194440.tif 000003
【図２】
0003194440.tif 000004
【図３】
0003194440.tif 000005
【図４】
0003194440.tif 000006
【図５】
0003194440.tif 000007
【図６】
0003194440.tif 000008
【図７】
0003194440.tif 000009
【図８】
0003194440.tif 000010
【図９】
0003194440.tif 000011
【図１０】
0003194440.tif 000012